(57)【要約】【課題】捕獲された鳥獣の捕獲費用の支払いの不正な申請を防ぐことができる鳥獣処分管理方法を提供することを課題とする。【解決手段】携帯通信端末１は、捕獲されたニホンジカが所定の搬入場所に搬入された場合、搬入者特定データとニホンジカの捕獲状況を記録するデータとを含む搬入報告データ４１を作成して、搬入管理サーバ２に送信する。搬入管理サーバ２は、搬入時刻を搬入報告データ４１に付加して搬入受付データ４２を作成し、搬入受付データ４２を携帯通信端末１に送信する。搬入管理サーバ２は、搬入受付データ４２の控えである受付控えデータ４３を照合サーバ３に送信する。携帯通信端末１は、搬入受付データ４２を照合サーバ３に送信する。照合サーバ３は、搬入管理サーバ２から送信された受付控えデータ４３と携帯通信端末１から送信された搬入受付データ４２とを照合して、捕獲されたニホンジカの処分費用の支払いを決定する。【選択図】図７
2018018418.tif 000002
【特許請求の範囲】
【請求項１】
捕獲された鳥獣を所定の搬入場所に搬入した搬入者を特定する搬入者特定データと前記捕獲された鳥獣の捕獲状況を記録する捕獲状況データとを含む搬入報告データを、前記搬入者により操作される通信端末から搬入管理サーバに送信するステップと、
前記搬入管理サーバにおいて、前記捕獲された鳥獣が搬入された搬入時刻を前記搬入報告データに付加することにより搬入受付データを作成し、前記搬入受付データを前記搬入管理サーバから前記通信端末に送信するステップと、
前記搬入管理サーバから照合サーバに対して前記搬入受付データの控えである受付控えデータを送信するステップと、
前記通信端末から前記照合サーバに対して前記搬入受付データを送信するステップと、
前記照合サーバにおいて、前記搬入管理サーバから送信された前記受付控えデータと前記通信端末から送信された前記搬入受付データとを照合して前記捕獲された鳥獣の処分費用の支払いを決定するステップと、
を備える鳥獣処分管理方法。
【請求項２】
請求項１に記載の鳥獣処分管理方法であって、さらに、
前記搬入場所において前記捕獲された鳥獣が搬入される様子をカメラにより撮影するステップ、
を備える鳥獣処分管理方法。
【請求項３】
請求項２に記載の鳥獣処分管理方法であって、
前記カメラは、前記搬入場所において、前記捕獲された鳥獣を搬入する車輌のナンバーを撮影することができる位置に設置され、
前記搬入報告データは、前記搬入する車輌のナンバーを含む鳥獣処分管理方法。
【発明の詳細な説明】
【技術分野】
【０００１】
本発明は、捕獲された鳥獣の処分を管理する鳥獣処分管理方法に関する。
【背景技術】
【０００２】
近年、ニホンジカ、イノシシなどの鳥獣の生息域が拡大しており、これらの鳥獣の個体数が増加している。これらの鳥獣のうち、特に、ニホンジカの個体数の増加が著しく、ニホンジカによる食害が深刻化している。
【０００３】
ニホンジカによる食害として、例えば、森林におけるスギやヒノキなどの皮を食べる剥皮被害が挙げられる。剥皮被害を受けた木々は、その後、枯れてしまうため、林業に深刻な影響を及ぼしている。また、ニホンジカが、畑の農作物を荒らす被害も増加している。
【０００４】
地方自治体は、ニホンジカによる食害を減らすために、ニホンジカの個体数の調整を行っている。具体的には、地方自治体は、ニホンジカの捕獲する頭数を毎年設定し、設定した頭数のニホンジカの捕獲を狩猟者に委託している。狩猟者は、銃や、わななどを用いてニホンジカを捕獲し、捕獲したニホンジカを処分する。特許文献１には、イノシシ等の鳥獣を捕獲する有害鳥獣駆除システムが開示されている。
【先行技術文献】
【特許文献】
【０００５】
【特許文献１】特開２００４−９７０１９号公報
【発明の概要】
【発明が解決しようとする課題】
【０００６】
捕獲されたニホンジカは、狩猟者によって殺処分され、埋め立てられる。狩猟者は、捕獲したニホンジカを埋め立てた後に、ニホンジカの捕獲費用の支払いを地方自治体に申請する。地方自治体は、捕獲した頭数に応じた捕獲費用を、狩猟者に支払う。
【０００７】
地方自治体は、捕獲費用を支払うか否かを判断する際に、捕獲費用の支払の申請の内容が捕獲されたニホンジカの捕獲状況と一致するか否かを確認する必要がある。しかし、申請の内容とニホンジカの捕獲状況とを照合する事務手続が煩雑なため、地方自治体の負担となっていた。このため、捕獲費用の支払の申請と、ニホンジカの実際の捕獲状況との照合作業を簡略化することが求められていた。
【０００８】
狩猟者は、捕獲費用の支払を地方自治体に申請する場合、ニホンジカを捕獲したことを証明するために、捕獲したニホンジカの歯などを証拠として提出する。しかし、狩猟者が、ニホンジカの捕獲費用を不正に請求する場合がある。具体的には、狩猟者が、捕獲費用の支払済みのニホンジカの歯を再利用することにより、捕獲頭数を水増しする場合が考えられる。狩猟者が捕獲頭数を水増しして捕獲費用の支払を不正に申請した場合、予め設定した頭数のニホンジカが捕獲されないことになる。この結果、ニホンジカによる食害を抑制することが難しくなるという問題がある。
【０００９】
上記問題点に鑑み、本発明の目的は、捕獲された鳥獣の捕獲費用の支払いの不正な申請を防ぐことができる鳥獣処分管理方法を提供することである。
【課題を解決するための手段】
【００１０】
上記課題を解決するため、請求項１記載の発明は、鳥獣処分管理方法であって、捕獲された鳥獣を所定の搬入場所に搬入した搬入者を特定する搬入者特定データと前記捕獲された鳥獣の捕獲状況を記録する捕獲状況データとを含む搬入報告データを、前記搬入者により操作される通信端末から搬入管理サーバに送信するステップと、前記搬入管理サーバにおいて、前記捕獲された鳥獣が搬入された搬入時刻を前記搬入報告データに付加することにより搬入受付データを作成し、前記搬入受付データを前記搬入管理サーバから前記通信端末に送信するステップと、前記搬入管理サーバから照合サーバに対して前記搬入受付データの控えである受付控えデータを送信するステップと、前記通信端末から前記照合サーバに対して前記搬入受付データを送信するステップと、前記照合サーバにおいて、前記搬入管理サーバから送信された前記受付控えデータと前記通信端末から送信された前記搬入受付データとを照合して前記捕獲された鳥獣の処分費用の支払いを決定するステップと、を備える。
【００１１】
請求項２記載の発明は、請求項１に記載の鳥獣処分管理方法であって、さらに、前記搬入場所において前記捕獲された鳥獣が搬入される様子をカメラにより撮影するステップ、
を備える。
【００１２】
請求項３記載の発明は、請求項２に記載の鳥獣処分管理方法であって、前記カメラは、前記搬入場所において、前記捕獲された鳥獣を搬入する車輌のナンバーを撮影することができる位置に設置され、前記搬入報告データは、前記搬入する車輌のナンバーを含む。
【発明の効果】
【００１３】
本発明によれば、捕獲された鳥獣のうち、指定された解体場所に搬入された鳥獣の捕獲費用が支払われるため、狩猟者による捕獲費用の支払いの不正な申請を防ぐことができる。
【図面の簡単な説明】
【００１４】
【図１】本発明の実施の形態に係る鳥獣処分管理システムの構成を示す機能ブロック図である。
【図２】図１に示すタブレット端末の構成を示す機能ブロック図である。
【図３】図１に示す搬入管理サーバの構成を示す機能ブロック図である。
【図４】図１に示す照合サーバの構成を示す機能ブロック図である。
【図５】ニホンジカを捕獲してから処分されるまでの概略を説明する図である。
【図６】捕獲したニホンジカを搬入する搬入場所の概略を示す図である。
【図７】図１に示す鳥獣処分管理システムの動作を示すシーケンス図である。
【図８】図１に示す携帯通信端末に表示される搬入報告画面の一例を示す図である。
【図９】図１に示す携帯通信端末により作成される搬入報告データの一例を示す図である。
【図１０】図１に示す搬入管理サーバにより作成される搬入受付データの一例を示す図である。
【発明を実施するための形態】
【００１５】
以下、図面を参照し、本発明の実施の形態を詳しく説明する。図中同一又は相当部分には同一符号を付してその説明は繰り返さない。
【００１６】
［１．鳥獣処分管理システム１００の構成］
［１．１．全体構成］
図１は、本発明の実施の形態に係る鳥獣処分管理システム１００の構成を示す機能ブロック図である。鳥獣処分管理システム１００は、野生のニホンジカを捕獲した狩猟者が捕獲費用の支払いを地方自治体に申請し、捕獲されたニホンジカを解体する解体業者が処分費用の支払いを地方自治体に申請するために用いられる。
【００１７】
図１に示すように、鳥獣処分管理システム１００は、携帯通信端末１と、搬入管理サーバ２と、照合サーバ３と、インターネット４とを備える。
【００１８】
携帯通信端末１は、狩猟者が所有する通信端末である。捕獲したニホンジカが解体業者により指定された搬入場所に搬入された際に、携帯通信端末１は、狩猟者の操作に応じて、搬入報告データ４１を作成して搬入管理サーバ２に送信する。搬入報告データ４１は、ニホンジカを搬入した狩猟者に関するデータと、ニホンジカの捕獲状況に関するデータとを含む。搬入報告データ４１の詳細については、鳥獣処分管理システム１００の動作において詳しく説明する。
【００１９】
搬入管理サーバ２は、捕獲されたニホンジカを解体する解体業者によって操作されるコンピュータであり、搬入場所に隣接する解体業者の事務所に設置される。搬入管理サーバ２は、搬入報告データ４１を携帯通信端末１から取得し、取得した搬入報告データ４１を用いて、搬入受付データ４２と、受付控えデータ４３とを作成する。
【００２０】
搬入受付データ４２は、管理番号及び搬入時刻を搬入報告データ４１に付加したデータである。管理番号は、搬入受付データ４２を一意に特定する識別番号である。搬入時刻は、搬入管理サーバ２が搬入報告データ４１を取得した時刻である。搬入受付データ４２は、搬入管理サーバ２から携帯通信端末１へ送信される。受付控えデータ４３は、搬入受付データ４２のコピーであり、搬入管理サーバ２から照合サーバ３に送信される。
【００２１】
搬入受付データ４２及び受付控えデータ４３の詳細については、後述する鳥獣処分管理システム１００の動作において詳しく説明する。
【００２２】
照合サーバ３は、地方自治体の庁舎に設置されるコンピュータであり、地方自治体の職員によって操作される。上述のように、携帯通信端末１は、搬入受付データ４２を搬入管理サーバ２から取得した後に、捕獲費用の申請のために、取得した搬入受付データ４２を照合サーバ３に送信する。照合サーバ３は、取得した搬入受付データ４２と取得した受付控えデータ４３とを照合して、捕獲費用及び処分費用を支払うか否かを決定する。具体的には、照合サーバ３は、搬入受付データ４２の内容が受付控えデータ４３の内容と一致する場合、捕獲費用及び処分費用の支払いを決定する。
【００２３】
［１．２．携帯通信端末１の構成］
図２は、図１に示す携帯通信端末１の構成を示す機能ブロック図である。図１に示す携帯通信端末１は、例えば、タブレット型端末、スマートフォン、携帯電話などである。
【００２４】
携帯通信端末１は、ＣＰＵ１１（Central Processing Unit）と、ＲＡＭ（Random Access Memory）１２と、タッチパネル１３と、フラッシュメモリ１４と、無線通信インタフェース１５とを備える。
【００２５】
ＣＰＵ１１は、フラッシュメモリ１４に格納された各種プログラムをＲＡＭ１２にロードし、ロードされたプログラムを実行して携帯通信端末１を制御する。ＲＡＭ１２は、携帯通信端末１のメインメモリである。タッチパネル１３は、ＣＰＵ１１によるプログラムの実行結果等を表示するとともに、タッチされた位置を操作情報として出力する。
【００２６】
フラッシュメモリ１４は、不揮発性の半導体メモリであり、報告プログラム１７と、搬入報告データ４１とを記憶する。報告プログラム１７は、搬入報告データ４１を作成するためのアプリケーションプログラムである。
【００２７】
無線通信インタフェース１５は、図示しない携帯電話通信網を介してインターネット４に接続し、搬入管理サーバ２及び照合サーバ３と通信する。
【００２８】
［１．３．搬入管理サーバ２の構成］
図３は、図１に示す搬入管理サーバ２の構成を示す機能ブロック図である。図３に示すように、搬入管理サーバ２は、ＣＰＵ２１と、ＲＡＭ２２と、ディスプレイ２３と、ＨＤＤ（hard disk drive）２４と、ＵＳＢ（Universal Serial Bus）インタフェース２５と、通信インタフェース２６とを備える。
【００２９】
ＣＰＵ２１は、ＨＤＤ２４に格納された各種プログラムをＲＡＭ２２にロードし、ロードされたプログラムを実行して搬入管理サーバ２を制御する。ＲＡＭ２２は、搬入管理サーバ２のメインメモリである。ディスプレイ２３は、プログラムの実行結果を表示する。
【００３０】
ＨＤＤ２４は、搬入管理プログラム２９と、搬入受付データ４２と、受付控えデータ４３と、動画像データ４４とを記憶する。搬入管理プログラム２９は、コンピュータを搬入管理サーバ２として動作させるためのプログラムである。動画像データ４４は、ニホンジカが解体場所に搬入される様子を撮影したデータであり、カメラ２７により生成される。
【００３１】
ＵＳＢインタフェース２５は、ＵＳＢ通信を行うためのインタフェースであり、カメラ２７及びプリンタ２８と接続される。カメラ２７は、搬入場所に設置され、捕獲されたニホンジカの搬入される様子を撮影する。プリンタ２８は、搬入場所に設置され、搬入受付データ４２を印刷する。
【００３２】
なお、カメラ２７の設置位置と搬入管理サーバ２の設置位置とが離れているため、ＵＳＢケーブルを用いてカメラ２７を搬入管理サーバ２に接続できない場合がある。この場合、カメラ２７を、無線ＬＡＮや、インターネット４等を介して搬入管理サーバ２に接続すればよい。
【００３３】
通信インタフェース２６は、インターネット４を介して携帯通信端末１及び照合サーバ３と通信する。
【００３４】
［１．４．照合サーバ３の構成］
図４は、図１に示す照合サーバ３の構成を示す機能ブロック図である。図３に示すように、照合サーバ３は、ＣＰＵ３１と、ＲＡＭ３２と、ディスプレイ３３と、ＨＤＤ３４と、通信インタフェース３５とを備える。
【００３５】
ＣＰＵ３１は、ＨＤＤ３４に格納された各種プログラムをＲＡＭ３２にロードし、ロードされたプログラムを実行して照合サーバ３を制御する。ＲＡＭ３２は、照合サーバ３のメインメモリである。ディスプレイ３３は、プログラムの実行結果を表示する。
【００３６】
ＨＤＤ３４は、照合プログラム３６を記憶する。照合プログラム３６は、コンピュータを照合サーバ３として動作させるためのプログラムである。通信インタフェース３５は、インターネット４を介して携帯通信端末１及び搬入管理サーバ２と通信する。
【００３７】
［２．ニホンジカの処分の概略］
図５は、ニホンジカを捕獲してから処分するまでの概略を説明する図である。ニホンジカの処分の概略の説明では、携帯通信端末１、搬入管理サーバ２及び照合サーバ３の動作に関する説明を省略する。
【００３８】
地方自治体は、１年間にニホンジカを捕獲する頭数を決定し、決定した頭数のニホンジカの捕獲を、猟友会や地方自治体内の集落など、狩猟免許を保持する団体に委託する。
【００３９】
捕獲を委託された団体の構成員（以下、「狩猟者」と呼ぶ。）は、予め定められている狩猟期間において、ニホンジカを捕獲する（ステップＳ１）。ニホンジカは、銃や、わななどにより捕獲される。狩猟者は、捕獲したニホンジカが生きている場合、その場で殺処分を行う。
【００４０】
狩猟者は、捕獲したニホンジカを、解体業者により指定された搬入場所に搬入する（ステップＳ２）。狩猟者は、捕獲したニホンジカを解体場所に設置された冷蔵庫に収め、捕獲したニホンジカを搬入したことを解体業者に報告する。
【００４１】
解体業者は、搬入場所に搬入されたニホンジカを解体する（ステップＳ３）。ニホンジカが解体されることにより、搬入されたニホンジカが最終的に処分される。解体により得られた鹿肉が食用として適している場合、解体業者は、得られた鹿肉を食肉業者に販売する。解体により得られた鹿肉が食用として適していない場合、解体業者は、例えば、ペットフードの原材料として鹿肉を使用する。
【００４２】
狩猟者は、ニホンジカの捕獲費用の支払いを地方自治体に申請し、解体業者は、ニホンジカの処分費用の支払いを地方自治体に申請する（ステップＳ４）。地方自治体は、狩猟者及び解体業者からの申請に応じて、捕獲費用及び処分費用を支払う。
【００４３】
このように、狩猟者が捕獲したニホンジカを解体場所に搬入し、解体業者が搬入されたニホンジカを解体して鹿肉として利用する。この結果、解体業者は、原料であるニホンジカを安定的に入手することができるため、ニホンジカを入手する労力から解放される。また、狩猟者は、捕獲したニホンジカの最終処分（埋め立て処分、焼却処分など）を行わなくても良いため、狩猟者の負担が軽減される。特に、集落の住民において、捕獲したニホンジカを単に殺して処分することにより生じる倫理上の心理的負担の軽減が図られる。
【００４４】
なお、上述した鹿肉の用途は、あくまで一例であり、解体された鹿肉を他の用途で使用してもよい。
【００４５】
［３．鳥獣処分管理システム１００の動作］
以下、鳥獣処分管理システム１００を構成する携帯通信端末１、搬入管理サーバ２及び照合サーバ３の動作を詳しく説明する。以下、ニホンジカを捕獲した狩猟者が、搬入場所に捕獲したニホンジカを搬入する場合を例にして説明する。
【００４６】
［３．１．ニホンジカの搬入］
図６は、捕獲したニホンジカを搬入する搬入場所を示す図であり、搬入場所を上から見た見取り図に対応する。図６に示すように、搬入場所において、自動車の駐車スペース５３が予め指定されている。カメラ２７は、駐車スペース５３を撮影可能な位置に配置される。これにより、カメラ２７は、ニホンジカを搬入する車のナンバーを撮影するとともに、捕獲されたニホンジカが搬入される様子を撮影することができる。
【００４７】
図７は、図１に示す鳥獣処分管理システム１００の動作を示すシーケンス図である。図７に示すように、カメラ２７は、ニホンジカの搬入が開始された場合、撮影を開始する（ステップＳ１１）。具体的には、図示しない距離センサが、自動車が予め指定された駐車スペースに停車したことを検出した場合、カメラ２７は、ニホンジカの搬入が開始されると判断して、動画像データ４４の生成を開始する。搬入管理サーバ２は、カメラ２７により生成された動画像データ４４を取得して、ＨＤＤ２４に記憶する。あるいは、カメラ２７は、搬入場所にニホンジカを搬入することができる指定時間において、撮影を継続してもよい。
【００４８】
狩猟者は、駐車スペース５３に自動車を駐車した後に、自動車に積まれているニホンジカを、冷蔵庫５１及び５２のいずれかに搬入する。洗車設備５４は、自動車に付着したニホンジカの血を洗い流すために設けられる。
【００４９】
［３．２．搬入報告データ４１の作成］
狩猟者は、捕獲したニホンジカを冷蔵庫５１及び５２のいずれかに収めた後に、携帯通信端末１を操作して、搬入したニホンジカの捕獲状況等を携帯通信端末１に入力する。携帯通信端末１は、狩猟者による入力される情報に基づいて搬入報告データ４１を作成し（ステップＳ１２）、作成した搬入報告データ４１を搬入管理サーバ２に送信する（ステップＳ１３）。
【００５０】
図８は、携帯通信端末１に表示される搬入報告画面５０の一例を示す図である。狩猟者が捕獲したニホンジカを搬入しているため、狩猟者は、搬入者に関する情報として、狩猟者の氏名、住所、電話番号、自動車登録番号、団体を搬入報告画面５０に入力する。搬入報告画面５０において、自動車登録番号の欄には、狩猟者がニホンジカを搬入する際に使用する自動車のナンバーが入力される。団体の欄には、「集落」、「猟友会」及び「自治体職員」の各々に対応するチェックボックスが配置されている。狩猟者（搬入者）は、自身が所属する団体に対応するチェックボックスにチェックを入れる。
【００５１】
次に、狩猟者は、搬入するニホンジカの捕獲状況に関する情報として、捕獲日時、捕獲場所、捕獲方法、状態、性別を搬入報告画面５０に入力する。
【００５２】
狩猟者は、捕獲日時として、ニホンジカを捕獲した日付と、捕獲時のおおよその時刻を入力する。捕獲場所は、ニホンジカを捕獲した場所を示す。図８に示す搬入報告画面５０において、狩猟者は、捕獲場所を入力する際に、地方自治体（多可町）における地区名（中区、八千代区、加美区）のいずれかのチェックボックスにチェックを入れた上で、捕獲場所の集落名を入力する。
【００５３】
捕獲方法は、ニホンジカを捕獲した手段であり、狩猟者は、「わな」、「銃」、「網」、「事故」及び「その他」の各々に対応するチェックボックスのいずれかをチェックする。ここで、「事故」は、交通事故に遭ったニホンジカを捕獲したことを示す。上記の方法以外の方法によりニホンジカを捕獲した場合に、狩猟者は、「その他」に対応するチェックボックスにチェックを入れる。
【００５４】
状態は、捕獲時におけるニホンジカの生死の状況を示す。捕獲時に既にニホンジカが死んでいた場合、狩猟者は、「死んでいた」に対応するチェックボックスにチェックを入れる。捕獲した時点でニホンジカが生きており、その後に殺処分をした場合、狩猟者は、「殺処分」に対応するチェックボックスにチェックを入れる。
【００５５】
狩猟者は、搬入報告画面５０において全ての項目を入力した後に、「完了」ボタンをタップする。携帯通信端末１は、「完了」ボタンがタップされた場合、図８に示す搬入報告画面５０に入力された全ての情報を記録した搬入報告データ４１を作成する（ステップＳ１２）。携帯通信端末１は、作成した搬入報告データ４１を搬入管理サーバ２に送信する（ステップＳ１３）。
【００５６】
図９は、搬入報告データ４１の一例を示す図である。図９に示すように、搬入報告データ４１は、搬入者特定データ４１１と、捕獲状況データ４１２とを含む。搬入者特定データ４１１は、図８に示す搬入報告画面５０において、搬入者氏名、住所、電話番号、自動車登録番号、団体の各々の欄に入力された情報により構成される。捕獲状況データ４１２は、図８に示す搬入報告画面５０において、捕獲日時、捕獲場所、捕獲方法、状態及び性別の各々の欄に入力された情報により構成される。
【００５７】
なお、狩猟者が搬入報告データ４１を作成する場所は特に限定されない。狩猟者は、解体場所において携帯通信端末１を操作して、搬入報告データ４１を作成して送信してもよいし、ニホンジカを解体場所に搬入して帰宅した後に、搬入報告データ４１を作成して送信してもよい。あるいは、狩猟者は、ニホンジカの捕獲場所において、図８に示す入力項目の一部を予め入力しておいてもよい。
【００５８】
［３．３．搬入受付データ４２の作成］
搬入管理サーバ２は、ステップＳ１３で送信された搬入報告データ４１を取得する。搬入管理サーバ２は、取得した搬入報告データ４１に基づいて搬入受付データ４２を作成する（ステップＳ１４）。搬入受付データ４２は、搬入管理サーバ２が搬入報告データ４１を取得するたびに作成されるため、搬入報告データ４１と１対１に対応する。
【００５９】
図１０は、搬入管理サーバ２により作成された搬入受付データ４２の一例を示す図である。図１０に示す搬入受付データ４２は、管理番号４２１と、搬入日時４２２と、搬入者特定データ４１１と、捕獲状況データ４１２とを含む。つまり、搬入管理サーバ２は、搬入報告データ４１に管理番号４２１及び搬入日時４２２を付加することにより、搬入受付データ４２を作成する。
【００６０】
管理番号４２１は、搬入受付データ４２に一意に割り当てられる識別番号である。搬入日時４２２は、捕獲したニホンジカが搬入された日付及び時刻を示す。搬入日時４２２は、具体的には、搬入管理サーバ２が搬入報告データ４１を取得した時刻である。
【００６１】
搬入管理サーバ２は、搬入場所に設置されたプリンタ２８に搬入受付データ４２を出力する。プリンタ２８は、搬入管理サーバ２から入力した搬入受付データ４２を印刷する（ステップＳ１５）。狩猟者は、搬入受付データ４２の印刷物を、冷蔵庫内のニホンジカに貼り付ける。
【００６２】
ニホンジカに貼り付けられた搬入受付データ４２の印刷物は、ニホンジカを解体する際に参照される。例えば、ニホンジカが銃により捕獲されていた場合、ニホンジカの体内に銃弾が残っている可能性があるため、銃弾がニホンジカの体内に残っているかを否かを確認する必要がある。また、捕獲時点でニホンジカが既に死んでいた場合、ニホンジカが実際に死んでからの経過時間が不明である。この場合、ニホンジカが食用に適さない可能性があるため、解体業者は、このニホンジカから得られる鹿肉を、食用ではなく、ペットフードの原材料として使用することを決定する。このように、搬入受付データ４２の印刷物を冷蔵庫内のニホンジカに貼り付けておくことにより、搬入されたニホンジカの解体方法や、解体により得られた鹿肉の用途を解体業者が容易に決定することができる。
【００６３】
次に、搬入管理サーバ２は、搬入受付データ４２の控えとして、受付控えデータ４３を作成する（ステップＳ１６）。具体的には、搬入管理サーバ２は、作成した搬入受付データ４２のコピーを作成する。搬入管理サーバ２は、作成したコピーにおいて管理番号を変更することにより、受付控えデータ４３を作成する。例えば、搬入管理サーバ２は、図１０に示す搬入受付データ４２のコピーにおいて、管理番号「１２３４５６」の末尾に受付控えデータ４３であることを示す文字「Ｃ」を付加することにより、受付控えデータ４３を作成する。これにより、搬入受付データ４２に対応する受付控えデータ４３を特定することが容易となる。
【００６４】
搬入管理サーバ２は、受付控えデータ４３を作成した後に、作成した搬入受付データ４２を携帯通信端末１に送信する（ステップＳ１７）。携帯通信端末１は、搬入受付データ４２を受信した場合、捕獲したニホンジカの搬入の受付が完了したことを通知するメッセージを表示する。これにより、ニホンジカの搬入が終了する。
【００６５】
［３．４．照合サーバ３における照合］
狩猟者は、捕獲したニホンジカを搬入した後に、捕獲したニホンジカの捕獲費用の支払いを地方自治体に申請する。具体的には、携帯通信端末１は、狩猟者の操作に応じて、搬入管理サーバ２から送信された搬入受付データ４２（図１０参照）を、照合サーバ３に送信する（ステップＳ１８）。このとき、携帯通信端末１は、搬入受付データ４２とともに、捕獲費用の支払先となる金融機関の口座番号を照合サーバ３に送信する。照合サーバ３が、搬入受付データ４２と、金融機関の口座番号とを受信することにより、捕獲費用の申請が完了する。
【００６６】
解体業者は、搬入されたニホンジカを解体した後に、搬入されたニホンジカの処分費用の支払いを地方自治体に申請する。具体的には、搬入管理サーバ２が、解体業者の操作に応じて、搬入受付データ４２（図１０参照）から生成された受付控えデータ４３を、照合サーバ３へ送信する（ステップＳ１９）。
【００６７】
照合サーバ３は、携帯通信端末１から搬入受付データ４２を受信し、搬入管理サーバ２から受付控えデータ４３を受信した場合、搬入受付データ４２を受付控えデータ４３と照合する（ステップＳ２０）。
【００６８】
搬入受付データ４２の内容が受付控えデータ４３の内容と一致する場合、照合サーバ３は、捕獲費用の申請と、処分費用の申請とが正当なものであると判断し、捕獲費用及び処分費用の支払いを決定する。後日、捕獲費用が、狩猟者により指定された振込先に振り込まれ、処分費用が、解体業者が予め指定していた振込先に振り込まれる。
【００６９】
一方、搬入受付データ４２の内容が受付控えデータ４３の内容と一致しない場合、照合サーバ３は、捕獲費用の申請及び処分費用の申請が適切でないと判断し、捕獲費用及び処分費用を支払わないことを決定する。
【００７０】
また、地方自治体の職員は、搬入受付データ４２の内容又は受付控えデータ４３の内容に疑義がある場合、動画像データ４４を確認して、捕獲費用の申請及び処分費用の申請が適切である否かを判断することができる。例えば、同一人物が短期間に大量のニホンジカを搬入したと認められる場合、地方自治体の職員は、解体業者に対して、搬入受付データ４２及び受付控えデータ４３に記録された搬入日時に対応する動画像データ４４の提供を依頼する。地方自治体の職員は、動画像データ４４に記録されたニホンジカの搬入の様子を確認して、捕獲費用の申請及び処分費用の申請が適切であるか否かを判断することができる。
【００７１】
このように、本実施の形態に係る鳥獣処分管理システム１００において、携帯通信端末１は、狩猟者が捕獲したニホンジカを搬入した場合に、搬入報告データ４１を搬入管理サーバ２に送信する。搬入管理サーバ２は、搬入報告データ４１に管理番号及び搬入日時を付加した搬入受付データ４２を生成し、携帯通信端末１に送信する。携帯通信端末１は、搬入受付データ４２を照合サーバ３に送信し、搬入管理サーバ２は、搬入受付データ４２の控えである受付控えデータ４３を照合サーバ３に送信する。照合サーバ３は、搬入受付データ４２の内容が受付控えデータ４３の内容に一致する場合、捕獲費用及び処分費用の支払いを決定する。これにより、地方自治体は、狩猟者が捕獲したニホンジカのうち、解体業者が受け付けたニホンジカの捕獲費用及び処分費用を支払えばよいため、狩猟者による捕獲費用の不正請求を防ぐことができる。
【００７２】
また、狩猟者がニホンジカに搬入した車輌のナンバーは、上述のようにカメラ２７により撮影されている。従って、狩猟者が搬入報告画面に入力した自動車登録番号と、カメラにより撮影されたナンバーとが一致しているか否かを事後的に確認することが可能である。従って、狩猟者による不正な搬入を把握することができ、狩猟者による捕獲費用の支払の不正な申請を防ぐことができる。
【００７３】
｛変形例｝
なお、上記の実施の形態において、狩猟者が携帯通信端末１を用いて、搬入報告データ４１を作成する例を説明したが、これに限られない。例えば、解体業者は、図８に示す搬入報告画面５０に列挙した項目を書き込むことが可能な、複写式の３枚綴りの搬入報告書を搬入場所に置いてもよい。
【００７４】
この場合、狩猟者は、搬入報告書に、図８に示す各項目に対応する情報を書き込む。その後、狩猟者は、搬入報告書のうち１枚を冷蔵庫内のニホンジカに貼り付け、もう１枚を解体場所に予め設けられたポストに投入し、最後の１枚を捕獲費用の支払申請用の書類として持ち帰る。解体業者が、ポストに投入された搬入報告書の内容を搬入管理サーバ２に入力することにより、搬入管理サーバ２は、搬入受付データ４２及び受付控えデータ４３を作成する。搬入管理サーバ２は、作成した搬入受付データ４２を携帯通信端末１に送信し、作成した搬入控えデータ４３を照合サーバ３に送信する。
【００７５】
あるいは、搬入管理サーバ２は、受付控えデータ４３のみを作成して照合サーバ３に送信してもよい。この場合、狩猟者は、持ち帰った書類を地方自治体に提出して捕獲費用の支払いを申請すればよい。
【００７６】
また、上記実施の形態において、狩猟者がニホンジカを搬入する例を説明したが、捕獲者と搬入者とが別々の人物であってもよい。この場合、搬入報告画面５０において、捕獲者に関する情報と、搬入者に関する情報とを入力できるようにしておけばよい。捕獲費用の支払いの申請については、捕獲者及び搬入者のいずれか一方が行えばよい。
【００７７】
また、上記実施の形態において、解体業者が、受付控えデータ４３を照合サーバ３に送信する例を説明したが、これに限られない。解体業者は、複数の受付控えデータ４３をリスト化したデータ（搬入リスト）を作成して、照合サーバ３に送信してもよい。この場合、照合サーバ３は、搬入受付データ４２と搬入者リストの内容との照合を行う。これにより、地方自治体が捕獲費用及び処分費用を支払う際の事務処理を軽減することができる。搬入管理サーバ２は、搬入者リストの送信を、例えば１月に１回行えばよい。
【００７８】
また、上記実施の形態において、ニホンジカを捕獲する場合を例に説明したが、これに限られない。鳥獣処分管理システム１００は、ニホンジカ、イノシシ、クマなどの鳥獣を捕獲した場合における処分費用の支払いの申請に使用することが可能である。
【００７９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【符号の説明】
【００８０】
１  携帯通信端末
２  搬入管理サーバ
３  照合サーバ
４１  搬入報告データ
４２  搬入受付データ
４３  受付控えデータ
【図１】
2018018418.tif 000003
【図２】
2018018418.tif 000004
【図３】
2018018418.tif 000005
【図４】
2018018418.tif 000006
【図５】
2018018418.tif 000007
【図６】
2018018418.tif 000008
【図７】
2018018418.tif 000009
【図８】
2018018418.tif 000010
【図９】
2018018418.tif 000011
【図１０】
2018018418.tif 000012